(57)【要約】【課題】回路基板が小型化されても、回路基板に配置された複数の接続端子に対して信号ケーブルの信号線を個別に容易かつ誤りなく接続することができる電子内視鏡の先端部を提供すること。【解決手段】挿入部１の先端に固体撮像素子７と回路基板１０とが内蔵されて、挿入部１内に挿通配置された信号ケーブル１５の先端から引き出された複数の信号線１６が、回路基板１０に配置された複数の接続端子１７に個別に接続された電子内視鏡の先端部において、回路基板１０に、複数の信号線１６の最先端部分１６ａを個別に嵌め込んでその位置決めをするための凹部１８，１８′を、複数の接続端子１７の各々に隣接して形成した。【選択図】      図１
2005348847.tif 000002
【特許請求の範囲】
【請求項１】
挿入部の先端に固体撮像素子と回路基板とが内蔵されて、挿入部内に挿通配置された信号ケーブルの先端から引き出された複数の信号線が、上記回路基板に配置された複数の接続端子に個別に接続された電子内視鏡の先端部において、
上記回路基板に、上記複数の信号線の最先端部分を個別に嵌め込んでその位置決めをするための凹部を、上記複数の接続端子の各々に隣接して形成したことを特徴とする電子内視鏡の先端部。
【請求項２】
上記凹部が、上記回路基板に形成された溝又は孔である請求項１記載の電子内視鏡の先端部。
【発明の詳細な説明】
【技術分野】
【０００１】
この発明は電子内視鏡の先端部に関する。
【背景技術】
【０００２】
挿入部の先端に固体撮像素子を内蔵する電子内視鏡においては、固体撮像素子の駆動回路等を構成する電子部品が取り付けられた回路基板が固体撮像素子の後側に隣接して配置され、挿入部内に挿通配置された信号ケーブルの先端から引き出された複数の信号線が、回路基板に設けられた複数の接続端子に個別に接続されている（例えば、特許文献１、２）。
【特許文献１】特開平６−２８５０１８
【特許文献２】特開平９−１９２０９２
【発明の開示】
【発明が解決しようとする課題】
【０００３】
上述のような従来の電子内視鏡においては、回路基板に多数の接続端子が並んで形成されていて、信号ケーブルの先端から引き出された複数の信号線が各接続端子に半田付け等により個別に接続固着されている。
【０００４】
しかし、技術の進歩等により固体撮像素子が小型化されるのに伴って、回路基板が小型化されて隣り合う接続端子間の間隔が接近し、その結果、各信号線と接続端子とを顕微鏡観察下に位置決めをして半田付けしなければならなくなり、作業が非常に難しくて、僅かな不注意等によって、半田付け不良や、隣の接続端子とのショート等が発生する場合がある。
【０００５】
そこで本発明は、回路基板が小型化されても、回路基板に配置された複数の接続端子に対して信号ケーブルの信号線を個別に容易かつ誤りなく接続することができる電子内視鏡の先端部を提供することを目的とする。
【課題を解決するための手段】
【０００６】
上記の目的を達成するため、本発明の電子内視鏡の先端部は、挿入部の先端に固体撮像素子と回路基板とが内蔵されて、挿入部内に挿通配置された信号ケーブルの先端から引き出された複数の信号線が、回路基板に配置された複数の接続端子に個別に接続された電子内視鏡の先端部において、回路基板に、複数の信号線の最先端部分を個別に嵌め込んでその位置決めをするための凹部を、複数の接続端子の各々に隣接して形成したものである。
【０００７】
なお、凹部が、回路基板に形成された溝又は孔であってもよい。
【発明の効果】
【０００８】
本発明によれば、回路基板に、複数の信号線の最先端部分を個別に嵌め込んでその位置決めをするための凹部を、複数の接続端子の各々に隣接して形成したことにより、信号線を回路基板に接続する作業を行う際には、信号線の最先端部分を凹部に嵌め込むことで信号線が接続端子に対して位置決めされるので、回路基板が小型化されても、回路基板に配置された複数の接続端子に対して信号ケーブルの信号線を個別に容易かつ誤りなく接続することができる。
【発明を実施するための最良の形態】
【０００９】
挿入部の先端に固体撮像素子と回路基板とが内蔵されて、挿入部内に挿通配置された信号ケーブルの先端から引き出された複数の信号線が、回路基板に配置された複数の接続端子に個別に接続された電子内視鏡の先端部において、回路基板に、複数の信号線の最先端部分を個別に嵌め込んでその位置決めをするための凹部を、複数の接続端子の各々に隣接して形成する。
【実施例】
【００１０】
図面を参照して本発明の実施例を説明する。
図２は電子内視鏡の挿入部の先端部分を示しており、細長い可撓管状に形成された挿入部１の最先端部分に先端部本体２が連結され、その先端部本体２の最先端面に観察窓３と照明窓４等が配置されている。５は、照明窓４の後方に配置されているライトガイドファイババンドルである。
【００１１】
観察窓３の奥の先端部本体２内には、対物光学系６が配置されていて、その対物光学系６による被写体の投影位置に、例えばＣＣＤ（電荷結合素子）等からなる固体撮像素子７の受光面７ａが配置されている。
【００１２】
この実施例においては、対物光学系６の光軸と先端部本体２の軸線とが平行になるようにレイアウトされていて、固体撮像素子７の受光面７ａは対物光学系６の光軸に対して垂直の向きに配置されている。
【００１３】
そのような対物光学系６と固体撮像素子７を保持する撮像部保持枠８は、先端部本体２に軸線と平行方向に形成された貫通孔内に嵌挿固定されていて、撮像部保持枠８内には、固体撮像素子７の駆動回路等を構成する電子部品が取り付けられた例えば積層セラミック製の回路基板１０が、固体撮像素子７の後側に隣接して収容されている。１１は、固体撮像素子７から後方に延出して回路基板１０側に接続されたリード。１２は、リード１１の中間部分の外面に沿って配置された絶縁板である。
【００１４】
１５は、固体撮像素子７で撮像された内視鏡観察画像の撮像信号等を伝送するために挿入部１内に軸線と平行方向に全長にわたって挿通配置された信号ケーブルであり、その内部には多数の信号線１６が挿通されている。
【００１５】
そして、信号ケーブル１５の先端から前方に延出する各信号線１６の先端部分の絶縁被覆が剥がされて、露出導線１６ａが、回路基板１０の後端付近に配列されている複数の接続端子１７に個別に半田付け等によって接続されている。
【００１６】
そのような回路基板１０には、III−III断面を図示する図３及びその部分の拡大斜視図である図１にも示されるように、各信号線１６の露出導線１６ａの最先端部分を個別に嵌め込んで回路基板１０に対する位置決めをするための信号線嵌め込み溝１８（凹部）が、複数の接続端子１７の各々に隣接して形成されている。
【００１７】
なおこの実施例においては、図３に示されるように、回路基板１０の断面形状が矩形に形成されていて、その四側面の各々に信号線嵌め込み溝１８（及び接続端子１７）が横並びに配列されている。ただし、その他の配列、形状であってもよい。
【００１８】
回路基板１０は、接続端子１７が配置されている後端付近の部分が信号線嵌め込み溝１８の溝底とほぼ同面になるように低く形成されていて、各信号線嵌め込み溝１８は、その後端側が接続端子１７の前端縁の中心位置に開口する状態に、接続端子１７と向きを合わせて形成されている。
【００１９】
したがって、信号ケーブル１５の信号線１６を回路基板１０に接続する作業を行う際には、図１に示されるように、信号線１６の露出導線１６ａの最先端部分を信号線嵌め込み溝１８内に嵌め込むことにより、露出導線１６ａが接続端子１７の中心を通る状態に位置決めされるので、その状態で露出導線１６ａを接続端子１７に半田付けすれば、各信号線１６を接続端子１７に対して容易に接続することができ、隣の接続端子１７とのショートや半田付け不良等が発生し難い。
【００２０】
なお、本発明は上記実施例に限定されるものではなく、例えば図４に示されるように、接続端子１７に対する信号線１６の露出導線１６ａの位置決めを行うのに、信号線嵌め込み溝１８に代えて信号線嵌め込み孔１８′を形成してもよく、要は、信号線１６の露出導線１６ａの最先端部分を嵌め込んで接続端子１７に対して位置決めをすることができる凹部であればよい。
【図面の簡単な説明】
【００２１】
【図１】本発明の第１の実施例の電子内視鏡の先端部の信号線接続部の斜視図である。
【図２】本発明の第１の実施例の電子内視鏡の先端部の側面断面図である。
【図３】本発明の第１の実施例の電子内視鏡の先端部の図２におけるIII−III断面図である。
【図４】本発明の第２の実施例の電子内視鏡の先端部の信号線接続部の斜視図である。
【符号の説明】
【００２２】
１  挿入部
２  先端部本体
７  固体撮像素子
１０  回路基板
１５  信号ケーブル
１６  信号線
１６ａ  露出導線
１７  接続端子
１８  信号線嵌め込み溝（凹部）
１８′  信号線嵌め込み孔（凹部）
【図１】
2005348847.tif 000003
【図２】
2005348847.tif 000004
【図３】
2005348847.tif 000005
【図４】
2005348847.tif 000006